(57)【要約】【課題】作業現場に搬送する際に破損しにくく、また、施工時の作業性が損なわれることを抑制する支持脚を提供する。【解決手段】支持脚２は、床材１１を支持する床材支持板３３を上端部に有する支持脚本体３と、支持脚本体３に取り付けられ、断熱材１２を支持可能な断熱材支持材４とを備える。断熱材支持材４は、平面視で前記床材支持板３３から突出して前記断熱材１２を支持可能な支持状態と、平面視で前記床材支持板３３から非突出の収納状態とに切り替え可能に構成されている。【選択図】図１
2017155431.tif 000002
【特許請求の範囲】
【請求項１】
床材を支持する床材支持板を上端部に有する支持脚本体と、
前記支持脚本体に取り付けられ、断熱材を支持可能な断熱材支持材と
を備え、
前記断熱材支持材は、平面視で前記床材支持板から突出して前記断熱材を支持可能な支持状態と、平面視で前記床材支持板から非突出の収納状態とに切り替え可能に構成されている
ことを特徴とする支持脚。
【請求項２】
前記断熱材支持材は、前記床材支持板の下面に取り付けられている
ことを特徴とする請求項１記載の支持脚。
【請求項３】
前記断熱材支持材は、前記床材支持板に回転可能に取り付けられている
ことを特徴とする請求項１または請求項２に記載の支持脚。
【請求項４】
前記支持脚本体は、前記床材支持板を支持する支持ボルトを有し、
前記断熱材支持材は、前記支持ボルトの中心軸回りに回転可能に取り付けられている
ことを特徴とする請求項１記載の支持脚。
【請求項５】
前記断熱材支持材は、１つの板状部材により構成されており、
前記板状部材は、前記支持ボルトの中心軸回りに回転することで、前記支持状態と前記収納状態とに切り替え可能に構成されている
ことを特徴とする請求項４記載の支持脚。
【請求項６】
前記床材支持板は平面視矩形状であり、
前記断熱材支持材は、前記床材支持板の４つの辺に一対一で対応する４つの支持片を有し、
前記４つの支持片の各々は、独立して前記支持状態と前記収納状態とに切り替え可能に構成されている
ことを特徴とする請求項１〜４のいずれか一項に記載の支持脚。
【発明の詳細な説明】
【技術分野】
【０００１】
本発明は、支持脚に関する。
【背景技術】
【０００２】
特許文献１には、従来の支持脚が開示されている。この特許文献１記載の支持脚は、支持ボルトの上端に、床パネルを支持する支持板が設けられている。この支持板の側面には、断面Ｌ字状の係止具が釘により固定されている。係止具には、断熱材が支持されるように構成されている。これにより、従来の支持脚を用いた床構造は、床パネルの下面に断熱材を設置することができる。
【先行技術文献】
【特許文献】
【０００３】
【特許文献１】特開平１１−１０７４２５号公報
【発明の概要】
【発明が解決しようとする課題】
【０００４】
ところで、この従来の支持脚は、係止具が支持板の側方から突出しているため、製造工場から作業現場へ搬送する際に、釘が外れたり破損したりしやすいという問題がある。また、係止具と支持板とを分解した状態で別々に搬送する場合、組み立てに際して係止具と釘とが必要となって部品点数が増えて面倒であるうえに、係止具を紛失しやすく、施工時の作業性に問題があった。
【０００５】
本発明は、上記事情に鑑みてなされたものであり、その目的とするところは、作業現場に搬送する際に破損しにくく、また、施工時の作業性が損なわれることを抑制する支持脚を提供することにある。
【課題を解決するための手段】
【０００６】
本発明の支持脚は、支持脚本体と、断熱材支持材とを備える。前記支持脚本体は、床材を支持する床材支持板を上端部に有する。前記断熱材支持材は、前記支持脚本体に取り付けられ、断熱材を支持可能に構成される。前記断熱材支持材は、平面視で前記床材支持板から突出して前記断熱材を支持可能な支持状態と、平面視で前記床材支持板から非突出の収納状態とに切り替え可能に構成されている。
【発明の効果】
【０００７】
本発明の支持脚によれば、作業現場に搬送する際に破損しにくく、また、施工時の作業性が損なわれるのを抑制することができる。
【図面の簡単な説明】
【０００８】
【図１】図１Ａは本発明の一実施形態に係る支持脚の設置した状態の平面図である。図１Ｂは、図１ＡのＡ−Ａ線断面図である。
【図２】図２Ａ〜Ｃは、同上の支持脚の施工時の説明をする斜視図である。
【図３】同上の支持脚の設置した状態の床材の一部を省略した斜視図である。
【図４】同上の支持脚を壁際に設置した状態を示す平面図である。
【図５】図５Ａは、変形例１に係る支持脚の平面図である。図５Ｂは、変形例１に係る支持脚の正面図である。
【図６】図６Ａは、変形例２に係る支持脚の平面図である。図６Ｂは、変形例２に係る支持脚の正面図である。
【図７】図７Ａは、変形例３に係る支持脚の平面図である。図７Ｂは、変形例３に係る支持脚の正面図である。
【図８】その他の変形例に係る支持脚の設置した状態を示す正面図である。
【発明を実施するための形態】
【０００９】
本発明は、支持脚に関し、特に、躯体の設置面上に床材が設置される構造において、床材の下面に断熱材を配置するための支持脚に関する。以下、本発明の実施形態について添付図面に基づいて説明する。
【００１０】
本実施形態の支持脚２は、図１Ａ，１Ｂに示すように、躯体の設置面１の上方に床材１１を設置する構造、すなわち二重床構造に用いられる。この二重床構造は、所定間隔ごとに複数の支持脚２が配置されており、この支持脚２に床材１１が支持される。本実施形態の支持脚２は、床材１１の下面に沿って断熱材１２を支持することができる。各支持脚２は、図１Ｂに示すように、支持脚本体３と、断熱材支持材４とを備えている。
【００１１】
支持脚本体３は、支持脚２の主体を構成する。支持脚本体３は、設置面１に載る脚部３１と、脚部３１から上方に延びる支持ボルト３２と、支持ボルト３２に支持される床材支持板３３とを備えている。
【００１２】
脚部３１は、躯体の設置面１上に載る部分であり、例えば、ゴムや軟質樹脂などの弾性材，あるいは金属などにより構成される。
【００１３】
支持ボルト３２は、鉛直方向に延びている。支持ボルト３２は、脚部３１に対して鉛直軸回りに回転可能に取り付けられている。支持ボルト３２の上部外周面には雄ねじ部が形成されている。支持ボルト３２の上端面には溝が形成されており、当該溝に工具（マイナスドライバ）を装着することで、支持ボルト３２を鉛直軸回りに回転させることができる。
【００１４】
床材支持板３３は、床材１１を支持する。床材支持板３３は、支持板本体３４と、支持板本体３４の下面に固定された取付部材３５とを備えている。支持板本体３４は、上方から見て（以下、平面視）矩形状に形成されており、すなわち、４つの辺を有している。支持板本体３４の中央には、支持ボルト３２が挿通される貫通孔３４１が設けられている。作業者は、貫通孔３４１の上方から工具を通して、支持ボルト３２を回転させることができる。
【００１５】
取付部材３５は、支持ボルト３２の雄ねじ部にねじ込まれている。取付部材３５は、支持ボルト３２が鉛直軸回りに回転することで、上下方向に移動可能に構成される。
【００１６】
このような構成の支持脚本体３には、断熱材支持材４が取り付けられている。断熱材支持材４は、図１Ａに示すように、４つの支持片４１を備えている。４つの支持片４１は、床材支持板３３の４つの辺に一対一で対応するように配置される。各支持片４１は、床材支持板３３の各辺の中央と支持ボルト３２との間の位置において、床材支持板３３の下面に、鉛直軸６を介して回転可能に取り付けられている。
【００１７】
支持片４１は、図１Ａに示すように、平面視で床材支持板３３から突出した支持状態と、平面視で床材支持板３３から非突出の収納状態とに切り替え可能に構成されている。特に、本実施形態の４つの支持片４１は、それぞれが独立して、支持状態と収納状態とに切り替え可能に構成されている。
【００１８】
鉛直軸６としては、例えば、ピン，ねじ，ボルト，リベットなどが挙げられる。なお、鉛直軸６として、ねじやボルトを用いた場合、支持片４１を支持状態および収納状態のいずれかに保持させることができる。
【００１９】
このような構成の支持脚２は、次のようにして設置される。作業者は、複数の支持脚２を所定ピッチで配置する。このとき、作業者は、断熱材支持材４を支持状態に切り替える（図２Ａから図２Ｂ）。次いで作業者は、図２Ｃに示すように、複数の支持脚２の断熱材支持材４に断熱材１２を支持させる。
【００２０】
ここで断熱材１２は、一定の剛性を有する断熱ボードにより構成される。断熱材１２としては、発泡ウレタン等の樹脂発泡断熱材，紙パウダーと工業用でん粉と合成樹脂とを混成し、水蒸気で発泡させたパルプ製の断熱材などが好適に用いられる。
【００２１】
図３に示すように、支持脚２に断熱材１２を支持させた後、作業者は、複数の床材支持板３３上に、複数の床材１１を支持させる。このとき、複数の床材１１は、貫通孔３４１を覆わないように配置することが好ましい。これにより、作業者は、床材１１の間から工具を挿入して支持ボルト３２を回転させることができ、床材１１の高さ調整を床材１１の上方から行うことができる。
【００２２】
以上、説明したように、本実施形態の支持脚２は、支持脚本体３と、断熱材支持材４とを備える。支持脚本体３は、床材１１を支持する床材支持板３３を上端部に有する。断熱材支持材４は、支持脚本体３に取り付けられ、断熱材１２を支持可能に構成される。断熱材支持材４は、平面視で床材支持板３３から突出して断熱材１２を支持可能な支持状態と、平面視で床材支持板３３から非突出の収納状態とに切り替え可能に構成されている。この構成によれば、支持脚２を作業現場に搬送する搬送中には、断熱材支持材４を収納状態に切り替えておくことができるため、破損しにくくできる。また、施工時に支持状態に切り替えることで、断熱材１２を支持できるため、搬送中に分解する必要がなく、施工時の作業性が損なわれるのを防ぐことができる。
【００２３】
また、本実施形態の支持脚２は、次の付加的な構成を有する。すなわち、本実施形態の断熱材支持材４は、床材支持板３３の下面に取り付けられている。この構成によれば、断熱材支持材４を床材支持板３３の側面に取り付けた従来の支持脚２に比べて、断熱材支持材４を取り付けやすく、製造性がよい。
【００２４】
また、本実施形態の支持脚２は、次の付加的な構成を有する。すなわち、本実施形態の断熱材支持材４は、床材支持板３３に回転可能に取り付けられている。この構成によれば、単純な構成で、支持状態と収納状態との切り替え可能に構成することができ、製造性がよく、低コストで製造できる。
【００２５】
また、本実施形態の支持脚２は、次の付加的な構成を有する。すなわち、本実施形態の床材支持板３３は平面視矩形状に形成されている。断熱材支持材４は、床材支持板３３の４つの辺に一対一で対応する４つの支持片４１を有する。４つの支持片４１の各々は、独立して支持状態と収納状態とに切り替え可能に構成されている。この構成によれば、例えば、図４に示すように、壁１３に沿って支持脚２が配置されても、壁１３側の支持片４１を収納状態に切り替え、かつ他の複数の支持片４１を支持状態に切り替えることができる。すなわち、作業者は、支持脚２を配置する場所に関わらず、同じ種類の支持脚２を用いることができ、施工性がよい。
【００２６】
上記実施形態の支持脚２は、例えば、図５Ａ，５Ｂに示すような態様であってもよい（これを変形例１とする）。なお、本変形例において、上記実施形態に対応する構成については上記実施形態の構成と同じ符号を付し、上記実施形態と異なる構成については新たに符号を付し、これら符号の末尾に「ａ」を付記して、重複する説明は省略する。
【００２７】
変形例１の支持脚２ａは、断熱材支持材４ａとして４つの支持片４１ａを有しており、この４つの支持片４１ａが支持ボルト３２ａの中心軸回りに回転可能に取り付けられている。４つの支持片４１ａは、独立して回転することができ、これにより、４つの支持片４１ａの各々は、独立して支持状態と収納状態とに切り替え可能に構成されている。
【００２８】
床材支持板３３ａは、支持板本体３４ａと、取付部材３５ａとを備えている。取付部材３５ａの内周面には、支持ボルト３２ａの雄ねじ部がねじ込み可能な雌ねじ部が形成されており、取付部材３５ａの外周面には、ナット５ａをねじ込み可能な雄ねじ部が形成されている。
【００２９】
各支持片４１ａは、平面視矩形状の板状の部材により構成されており、一方向に延びている。各支持片４１ａの長手方向の一端部には、孔が形成されている。この孔には取付部材３５ａが挿入される。４つの支持片４１ａは、この孔に取付部材３５ａが通された状態で、ナット５ａがねじ込まれることで、固定される。
【００３０】
各支持片４１ａは、支持状態と収納状態とに切り替えられる。床材支持板３３ａの支持板本体３４ａは、平面視正方形状に形成されている。支持状態にある各支持片４１ａは、その長手方向が、床材支持板３３ａの対応する辺に対して直交している。一方、収納状態にある各支持片４１ａは、その長手方向が、床材支持板３３ａの対応する辺に対して、略４５°傾いており、床材支持板３３ａの中央と角部とを結ぶ線上に位置している。
【００３１】
以上説明したように、変形例１の支持脚本体３ａは、床材支持板３３ａを支持する支持ボルト３２ａを有する。断熱材支持材４ａは、支持ボルト３２ａの中心軸回りに回転可能に取り付けられている。この構成によれば、断熱材支持材４ａを取り付けるためのビス等を省略することができる。また、断熱材支持材４ａの回転軸を支持ボルト３２ａの同軸上に配置できるため、４つの支持片４１をそれぞれ床材支持板３３に取り付ける支持脚２に比べて製造性を向上できる。
【００３２】
次に変形例２を説明する。上記変形例１の断熱材支持材４ａは、４つの支持片４１ａが設けられていたが、例えば、図６Ａ，６Ｂに示すような態様であってもよい。なお、本変形例において、上記実施形態に対応する構成については上記実施形態の構成と同じ符号を付し、上記実施形態と異なる構成については新たに符号を付し、これら符号の末尾に「ｂ」を付記して、重複する説明は省略する。
【００３３】
変形例２の支持脚２ｂは、断熱材支持材４ｂとして、１つの板状部材４２ｂが支持ボルト３２ｂの中心軸回りに回転可能に取り付けられている。板状部材４２ｂは、支持ボルト３２ｂの中心軸回りに回転することで、支持状態と収納状態とに切り替え可能に構成されている。
【００３４】
床材支持板３３ｂは、支持板本体３４ｂと、取付部材３５ｂとを備えている。取付部材３５ｂの内周面には、支持ボルト３２ｂの雄ねじ部がねじ込み可能な雌ねじ部が形成されており、取付部材３５ｂの外周面には、ナット５ｂをねじ込み可能な雄ねじ部が形成されている。支持板本体３４ｂは、平面視正方形状に形成されている。
【００３５】
板状部材４２ｂは、平面視正方形状に形成されており、中央に孔が形成されている。この孔には取付部材３５ｂが挿入される。板状部材４２ｂは、この孔に取付部材３５ｂが通された状態で、ナット５ｂがねじ込まれることで、固定される。
【００３６】
板状部材４２ｂは、支持状態と収納状態とに切り替えられる。支持状態にある板状部材４２ｂは、床材支持板３３ｂに対して、支持ボルト３２ｂの回転軸回りに４５°回転しており、これにより、床材支持板３３ｂの各辺と板状部材４２ｂの各辺とのなす角は４５°となる。一方、収納状態にある板状部材４２ｂは、各辺が、床材支持板３３ｂの対応する各辺に対して、略平行となる。
【００３７】
以上説明したように、変形例２の断熱材支持材４ｂは、１つの板状部材４２ｂにより構成されている。板状部材４２ｂは、支持ボルト３２ｂの中心軸回りに回転することで、支持状態と収納状態とに切り替え可能に構成されている。この構成によれば、４つの支持片４１，４１ａを取り付けた支持脚２，２ａに比べて、部品点数を少なくすることができ、製造性をさらに向上させることができる。
【００３８】
次に変形例３を説明する。上記変形例１の断熱材支持材４ａは、４つの支持片４１ａが設けられていたが、例えば、図７Ａ，７Ｂに示すような態様であってもよい。なお、本変形例において、上記実施形態に対応する構成については上記実施形態の構成と同じ符号を付し、上記実施形態と異なる構成については新たに符号を付し、これら符号の末尾に「ｃ」を付記して、重複する説明は省略する。
【００３９】
変形例３の支持脚２ｃは、断熱材支持材４ｃとして、一対のＬ字状の板材４１ｃを有している。一対のＬ字状の板材４１ｃは、角部に孔が設けられており、この孔に取付部材３５ｃが通されることで、回転可能に取り付けられている。これにより、このＬ字状の板材４１ｃは、支持状態と収納状態とに切り替えられる。
【００４０】
なお、上記実施形態および変形例１の断熱材支持材４，４ａは、平板状の支持片４１，４１ａにより構成されたが、例えば、図８に示すように、段状に折り曲げた支持片４１ｄにより構成されていてもよい。これにより、支持板本体３４ｄよりも厚い断熱材１２を支持しても、断熱材１２の上面を床材支持板３３ｄの上面と同じレベルにすることができる。また、４つの支持片４１ｄのうち、いずれかを段状に屈曲された支持片４１ｄとし、その他を平板状の支持片としてもよい。
【００４１】
また、上記実施形態および変形例１〜３の断熱材支持材４，４ａ〜４ｄは、回転可能な支持片４１，４１ａ，４１ｃ，４１ｄまたは板状部材４２ｂにより構成されたが、床材支持板の各辺に対して直交する方向にスライド移動する支持片により構成されてもよい。
【００４２】
その他、本発明の主旨を逸脱しない範囲であれば、適宜設計変更を行うことができる。
【符号の説明】
【００４３】
１１        床材
１２        断熱材
２，２ａ〜２ｄ    支持脚
３，３ａ〜３ｄ    支持脚本体
３２，３２ａ〜３２ｄ    支持ボルト
３３，３３ａ〜３３ｄ    床材支持板
４，４ａ〜４ｄ      断熱材支持材
４１，４１ａ，４１ｄ    支持片
４２ｂ      板状部材
【図１】
2017155431.tif 000003
【図２】
2017155431.tif 000004
【図３】
2017155431.tif 000005
【図４】
2017155431.tif 000006
【図５】
2017155431.tif 000007
【図６】
2017155431.tif 000008
【図７】
2017155431.tif 000009
【図８】
2017155431.tif 000010